(57)【特許請求の範囲】
【請求項１】
情報素材の送出順序を規定したプレイリストに従って複数の上記情報素材を順次送出する情報送出装置において、
送出予定の複数の上記情報素材を記憶する記憶手段と、
通常予定されている上記情報素材の送出スケジュールで作成された通常スケジュールと、上記通常スケジュールにおいて予定されている上記情報素材の送出スケジュールが変更されることを想定して作成されたマルチ編成スケジュールとから構成された上記プレイリストを作成するプレイリスト作成手段と、
上記プレイリストに、上記通常スケジュールから上記マルチ編成スケジュールへ移行するための分岐イベント及び上記マルチ編成スケジュールから上記通常スケジュールへ戻るための戻りイベントを指定するイベント指定手段と、
上記プレイリストに従った順序で上記情報素材を再生して音声として出力し、かつ上記情報素材の映像を表示することにより上記情報素材のリハーサルを実行するリハーサル実行手段を具え、
上記リハーサル実行手段は、
上記イベント指定手段により指定された上記分岐イベント時及び上記戻りイベント時に上記情報素材のリハーサルを実行する
情報送出装置。
【請求項２】
上記情報素材は、コマーシャルの映像音声信号である
請求項１に記載の情報送出装置。
【請求項３】
上記分岐イベントで指定された移行先の上記マルチ編成スケジュールでは、複数の情報素材が送出順序で配列され、最後に上記マルチ編成スケジュールから上記通常スケジュールへ戻る上記戻りイベントが指定される
請求項１に記載の情報送出装置。
【請求項４】
情報素材の送出順序を規定したプレイリストに従って複数の上記情報素材を順次送出する情報送出方法において、
記憶手段に送出予定の複数の上記情報素材を記憶する記憶ステップと、
通常予定されている上記情報素材の送出スケジュールで作成された通常スケジュールと、上記通常スケジュールにおいて予定されている上記情報素材の送出スケジュールが変更されることを想定して作成されたマルチ編成スケジュールとから構成された上記プレイリストを作成するプレイリスト作成ステップと、
上記プレイリストに、上記通常スケジュールから上記マルチ編成スケジュールへ移行するための分岐イベント及び上記マルチ編成スケジュールから上記通常スケジュールへ戻るための戻りイベントを指定するイベント指定ステップと、
上記プレイリストに従った順序で上記情報素材を再生して音声として出力し、かつ上記情報素材の映像を表示することにより上記情報素材のリハーサルを実行するリハーサル実行ステップを具え、
上記リハーサル実行ステップは、
上記イベント指定ステップにより指定された上記分岐イベント時及び上記戻りイベント時に上記情報素材のリハーサルを実行する
情報送出方法。
【発明の詳細な説明】
【０００１】
【発明の属する技術分野】
本発明は情報処理装置及び情報送出方法に関し、例えばテレビジョン放送システムに適用して好適なものである。
【０００２】
【従来の技術】
従来、テレビジョン放送システムにおいては、何時何分からどのような番組を放送し、かつその合間に何時何分から何秒間ＣＭ（コマーシャル）を放送するといった予め作成された番組及びＣＭの送出順序を規定したプログラムリスト（以下、これを番組編成リストと呼ぶ）に従って番組の映像音声信号を出力する番組送出装置の当該出力と、何時何分からどのようなＣＭを放送するといった予め作成されたＣＭの送出順序を規定したプログラムリスト（以下、これをプレイリストと呼ぶ）に従ってＣＭの映像音声信号を出力するＣＭ送出装置の当該出力とを順次切り換えながら外部に送出することにより、番組の合間にＣＭが挿入されてなるテレビジョン放送を行い得るようになされている。
【０００３】
この場合ＣＭ送出装置は、複数のＣＭの映像音声信号を蓄積するＡ／Ｖ（Audio/Visual）サーバを有し、プレイリストに基づいてＣＭの送出準備（スタンバイ）を行った後は、番組編成リストを管理する上位制御装置から与えられるＧＰＩ（General Perpose Interface ）信号をトリガとして、当該Ａ／Ｖサーバから対応するＣＭの映像音声信号を読み出して出力するようになされている。
【０００４】
かかるテレビジョン放送システムでは、オンエア用に送出する予定のＣＭ素材にノイズ等の有無や、同一ジャンルのＣＭで競合他社のＣＭが連続して送出されるか否かなどのＣＭ素材の送出順番のチェック等を行うために、事前に送出のリハーサルを行うようになされている。
【０００５】
【発明が解決しようとする課題】
ところでかかるテレビジョン放送システムにおいて、上述のようなリハーサルを行う際に、野球中継等のスポーツ番組では、時間延長や雨天中止等の予定以外の事態が生じる可能性が高いため、想定可能な複数種類の送出ケースを予め作成しておき、番組編成の移り変わりに応じて、実際の送出と同様にリハーサルを行うことが要求される。
【０００６】
しかしながら、従来では送出ケース毎にリハーサルを行っていたため、通常の送出ケースから複数種類のうち指定された送出ケースへの移り変わりや、複数種類のうち指定された送出ケース間での移り変わり、さらには複数種類のうち指定された送出ケースから通常の送出ケースへの戻りなど、送出ケース間の移り変わりにおけるリハーサルを行うことは非常に困難となる問題があった。
【０００７】
本発明は以上の点を考慮してなされたもので、オペレータの作業効率を向上し得る情報送出装置及び情報送出方法を提案しようとするものである。
【０００８】
【課題を解決するための手段】
かかる課題を解決するため本発明においては、情報素材の送出順序を規定したプレイリストに従って複数の情報素材を順次送出する情報送出装置において、送出予定の複数の上記情報素材を記憶する記憶手段と、通常予定されている情報素材の送出スケジュールで作成された通常スケジュールと、通常スケジュールにおいて予定されている情報素材の送出スケジュールが変更されることを想定して作成されたマルチ編成スケジュールとから構成されたプレイリストを作成するプレイリスト作成手段と、プレイリストに、通常スケジュールからマルチ編成スケジュールへ移行するための分岐イベント及びマルチ編成スケジュールから通常スケジュールへ戻るための戻りイベントを指定するイベント指定手段と、プレイリストに従った順序で情報素材を再生して音声として出力し、かつ情報素材の映像を表示することにより情報素材のリハーサルを実行するリハーサル実行手段を具え、リハーサル実行手段は、イベント指定手段により指定された分岐イベント時及び戻りイベント時に情報素材のリハーサルを実行するようにした。
【０００９】
この結果、通常スケジュールからマルチ編成スケジュールへの移行、マルチ編成スケジュールから通常スケジュールへの戻りなどのスケジュールを相互に移行して情報素材のリハーサルを容易に実行することができる。
【００１２】
【発明の実施の形態】
以下図面について、本発明の一実施の形態を詳述する。
【００１３】
（１）本実施の形態によるテレビジョン放送システムの構成
図１において、１は全体として本実施の形態によるテレビジョン放送システムを示し、番組編成リストを管理する主制御装置２と、番組編成リストに従って複数チャンネル分の番組の映像音声信号Ｓ１Ａ〜Ｓ１Ｆを送出する番組送出装置３と、各チャンネル毎に対応するプレイリストＰＬに従ってＣＭの映像音声信号Ｓ２Ａ〜Ｓ２Ｆを送出するＣＭ送出装置４と、番組送出装置３及びＣＭ送出装置４の各出力を各チャンネル毎に切り換えて出力するスイッチャ５とから構成されている。
【００１４】
この場合主制御装置２は、予め登録されている番組編成リストに基づいてカートマシン及び各チャンネルにそれぞれ対応させて設けられたビデオテープレコーダからなる番組送出装置３を制御することにより、各チャンネル毎に指定された番組の映像音声信号Ｓ１Ａ〜Ｓ１Ｆを送出させる。
【００１５】
また主制御装置２は、番組編成リストに従って、いずれかのチャンネルがＣＭの送出時刻になると、そのチャンネルに対するＧＰＩ信号Ｓ３Ａ〜Ｓ３ＦをＣＭ送出装置４に送出する。
【００１６】
このときＣＭ送出装置４は、予め各チャンネル毎に設定されたプレイリストＰＬに従って、各チャンネル毎に次に送出すべきＣＭの映像音声信号Ｓ２Ａ〜Ｓ２Ｆの送出準備を完了しており、主制御装置２からＧＰＩ信号Ｓ３Ａ〜Ｓ３Ｆが与えられたタイミングで対応するＣＭの映像音声信号Ｓ２Ａ〜Ｓ２Ｆの送出を開始し、これを対応するチャンネルでスイッチャ５に送出する。
【００１７】
またこのときスイッチャ５は、主制御装置２の制御のもとにそのチャンネルについてはＣＭ送出装置４の出力を選択しており、かくして当該ＣＭ送出装置４から出力されたＣＭの映像音声信号Ｓ２Ａ〜Ｓ２Ｆがスイッチャ５を介して番組送出装置３から出力される番組の映像音声信号Ｓ１Ａ〜Ｓ１Ｆに代えて外部に出力される。
【００１８】
これによりこのテレビジョン放送システム１では、予め作成された番組編成リスト及びプレイリストＰＬに従って、各チャンネル毎に番組の映像音声信号Ｓ１Ａ〜Ｓ１Ｆと、ＣＭの映像音声信号Ｓ２Ａ〜Ｓ２Ｆとを順次切り換えながら送出し得、かくして番組の合間にＣＭが挿入されてなるテレビジョン放送を複数チャンネルで放送し得るようになされている。
【００１９】
（２）ＣＭ送出装置の構成
ここでＣＭ送出装置４は、図２に示すように、データゲートウェイ１０、現用系送出制御部１１、予備系送出制御部１２、送出監視端末１３、データベースサーバ１４、ファイリング端末１５、プレビュ端末１６、オートチェンジャ制御部１７、現用系ＳＭＳ（Server Management System）ゲートウェイ１８及び予備系ＳＭＳゲートウェイ１９等がＬＡＮ（Local Area Network）等のネットワーク２０を介して相互接続されて構成されている。
【００２０】
またＣＭ送出装置４においては、現用系Ａ／Ｖサーバ２１及び予備系Ａ／Ｖサーバ２２の２台のＡ／Ｖサーバを有し、それぞれ現用系ＩＤＣ（Intelligent Device Controller ）２３及び予備系ＩＤＣ２４を介して現用系ＳＭＳゲートウェイ１８及び予備系ＳＭＳゲートウェイ１９に接続されている。
【００２１】
実際にＣＭ送出装置４では、２系統の現用系Ａ／Ｖサーバ２１及び予備系Ａ／Ｖサーバ２２からプレイリストＰＬに基づく送出順序でＣＭの映像音声信号Ｓ２Ａ〜Ｓ２Ｆを同時に送出しながら、いずれか一方の系のみ選択的にオンエア用に出力することにより、一方のＡ／Ｖサーバが故障等した場合であっても、他方のＡ／ＶサーバからプレイリストＰＬに基づく送出順序でＣＭの映像音声信号Ｓ２Ａ〜Ｓ２Ｆを送出して、放送が中断するのを未然に回避し得るようになされている。
【００２２】
現用系Ａ／Ｖサーバ２１及び予備系Ａ／Ｖサーバ２２は、それぞれ出力側がマスタスイッチャ２５の入力端と接続され、現用系ＩＤＣ２３及び予備系ＩＤＣ２４から与えられる制御命令に従ってＣＭ素材データＤ１の映像及び音声を送出するようになされている。さらに現用系Ａ／Ｖサーバ２１及び予備系Ａ／Ｖサーバ２２は、オートチェンジャ２６と相互に接続され、オートチェンジャ制御部１７による制御に応じて現用系Ａ／Ｖサーバ２１又は予備系Ａ／Ｖサーバ２２とオートチェンジャ２６との間で要求のあったＣＭ素材データＤ１の映像及び音声を送受し合うようになされている。
【００２３】
このＣＭ送出装置４は、外部の上位データ管理装置３０から必要に応じて所定のタイミングで送出される各種スポンサから提供されたＣＭ素材データＤ１と各チャンネル毎に設定されたプレイリストＰＬとをデータゲートウェイ１０において受信するようになされている。
【００２４】
データゲートウェイ１０は、外部の上位データ管理装置３０との間でネットワーク２０を介してデータを送受する。上位データ管理装置３０からＣＭ素材データＤ１を受信するとデータベースサーバ１４に仮登録を行うようになされている。上位データ管理装置３０からプレイリストＰＬを受信するとデータベースサーバ１４に登録するようになされている。
【００２５】
またデータゲートウェイ１０は、ＣＭ送出装置４内の日付を管理するためのプログラムを有しており、日付に変更があった場合にＣＭ送出装置４内の各アプリケーションに通知するようになされている。さらにデータゲートウェイ１０は、ＣＭ送出装置４内の各機器におけるプログラムで発生した警告やエラーを一括管理するプログラムを有しており、警告やエラーが発生した機器にその旨を通知するようになされている。
【００２６】
データベースサーバ１４は、ソフトウェアとしてのデータベースを有し、ファイリング端末１５の制御のもとでデータゲートウェイ１０から与えられるＣＭ素材データＤ１及びプレイリストＰＬを当該データベースに登録する一方、当該ファイリング端末１５、プレビュ端末１６、現用系送出制御部１１、予備系送出制御部１２及び送出監視端末１３からの読出し要求に応じて、指定されたＣＭ素材データＤ１及び又はプレイリストＰＬを対応する機器に送信するようになされている。
【００２７】
ファイリング端末１５は、現用系Ａ／Ｖサーバ２１及び予備系Ａ／Ｖサーバ２２における記録動作を制御するためのプログラム（以下、これをファイリングプログラムと呼ぶ）を有し、データゲートウェイ１０でデータベースサーバ１４に仮登録されたＣＭ素材データＤ１をデータベースサーバ１４内のデータベースに登録した後、それぞれのＣＭ素材データＤ１に対応した素材を素材機３１より再生し、現用系Ａ／Ｖサーバ２１及び予備系Ａ／Ｖサーバ２２に登録するようになされている。またファイリング端末１５は、ファイリングプログラムのデータ編集操作を行うことにより、データベースサーバ１４内のデータベースに登録するＣＭ素材データＤ１の内容を変更することが可能である。
【００２８】
現用系ＳＭＳゲートウェイ１８及び予備系ＳＭＳゲートウェイ１９は、ファイリング端末１５からの制御命令に応じて、それぞれ現用系ＩＤＣ２３及び予備系ＩＤＣ２４を介して、現用系Ａ／Ｖサーバ２１及び予備系Ａ／Ｖサーバ２２の記録再生動作を制御すると共に、必要に応じて素材機３１の再生動作を制御するようになされている。
【００２９】
プレビュ端末１６は、現用系Ａ／Ｖサーバ２１及び予備系Ａ／Ｖサーバ２２に記録されているＣＭ素材データＤ１の映像及び音声をプレビュ（試写）させるためのプログラム（以下、これをマザープレビュプログラムと呼ぶ）を有し、データベースから読み出したＣＭ素材データＤ１に基づく映像をモニタに表示すると共に当該ＣＭ素材データＤ１に基づく音声をスピーカから出力するようになされている。この結果、オペレータは、モニタに表示された映像を目視確認しながらＣＭ素材の内容及び画質並びに当該ＣＭ素材の音質等をチェックすることができる。
【００３０】
またプレビュ端末１６は、オンエアする前に現用系Ａ／Ｖサーバ２１又は予備系Ａ／Ｖサーバ２２に記録されているＣＭ素材データＤ１の映像及び音声をプレイリストＰＬに従った放送順で試再生（リハーサル）するためのプログラム（以下、これをオンエアプレビュプログラムと呼ぶ）を有し、現用系Ａ／Ｖサーバ２１又は予備系Ａ／Ｖサーバ２２からプレイリストＰＬに従った放送順で再生したＣＭ素材データＤ１に基づく映像をモニタに表示すると共に当該ＣＭ素材データＤ１に基づく音声をスピーカから出力するようになされている。この結果、オペレータは、モニタに表示された映像を目視確認すると共にスピーカから出力される音声を聴きながら、実際にオンエアされるＣＭ素材の内容を事前に確認することができる。
【００３１】
現用系送出制御部１１及び予備系送出制御部１２は、現用系Ａ／Ｖサーバ２１及び予備系Ａ／Ｖサーバ２２の再生動作を制御するためのプログラム（以下、これをオンエアコントローラプログラムと呼ぶ）を有し、データベースサーバ１４内のデータベースに登録されているＣＭ素材データＤ１及びプレイリストＰＬに基づいて、現用系Ａ／Ｖサーバ２１及び予備系Ａ／Ｖサーバ２２に記録されたＣＭ素材データＤ１の映像及び音声をプレイリストＰＬに従った放送順に再生してマスタスイッチャ２５に送出するようになされている。
【００３２】
また現用系送出制御部１１及び予備系送出制御部１２は、主制御装置２から送出される放送終了情報に基づいて、現用系Ａ／Ｖサーバ２１及び予備系Ａ／Ｖサーバ２２から実際に再生されマスタスイッチャ２５に送出されたデータのリスト（以下、これを送出結果リストと呼ぶ）ＳＬＡ、ＳＬＢを作成した後、これら現用系及び予備系の２種類の送出結果リストＳＬＡ、ＳＬＢをネットワーク２０を介してデータゲートウェイ１０に送出する。
【００３３】
このときマスタスイッチャ２５は、現用系Ａ／Ｖサーバ２１及び予備系Ａ／Ｖサーバ２２からプレイリストＰＬに基づく放送順で各ＣＭ素材データＤ１を受け取って実際にオンエアしていることを表す信号（以下、これをオンエアタリ信号と呼ぶ）Ｓ１０Ａ、Ｓ１０Ｂを生成した後、これら現用系及び予備系の２種類のオンエアタリ信号Ｓ１０Ａ、Ｓ１０Ｂをそれぞれ現用系ＩＤＣ２３及び予備系ＩＤＣ２４並びに対応する現用系ＳＭＳゲートウェイ１８及び予備系ＳＭＳゲートウェイ１９を介して現用系送出制御部１１及び予備系送出制御部１２に送出するようになされている。
【００３４】
かくして現用系送出制御部１１及び予備系送出制御部１２は、マスタスイッチャ２５が生成した現用系及び予備系の各オンエアタリ信号Ｓ１０Ａ、Ｓ１０Ｂを受け取ると、そのことを送出監視端末１３に通知し、各オンエアタリ信号Ｓ１０Ａ、Ｓ１０Ｂを受信していることを表示するようになされている。
【００３５】
送出監視端末１３は、データベースサーバ１４内のデータベースに登録されているプレイリストＰＬを表示及び編集するためのプログラム（以下、これをプレイリストマネージャプログラムと呼ぶ）を有し、データベースから読み出したプレイリストＰＬに基づく映像をモニタに表示するようになされている。この結果、オペレータは、モニタに表示された映像を目視確認しながらプレイリストＰＬの内容を変更及び編集することができる。
【００３６】
また送出監視端末１３は、現用系送出制御部１１及び予備系送出制御部１２によって現用系Ａ／Ｖサーバ２１及び予備系Ａ／Ｖサーバ２２から再生されたＣＭ素材データＤ１の送出状態を監視するためのプログラム（以下、これをオンエアモニタプログラムと呼ぶ）を有し、当該ＣＭ素材データＤ１の送出状態を監視するのみならず、番組編成の変更に伴う送出制御指示や、トラブル発生時における送出制御のリカバリ指示を行うようになされている。
【００３７】
オートチェンジャ制御部１７は、複数のビデオテープを選択的にビデオテープレコーダ２６Ａに搬送及び装填して記録再生するようになされたオートチェンジャ２６に接続されており、当該オートチェンジャ２６において現用系Ａ／Ｖサーバ２１又は予備系Ａ／Ｖサーバ２２に記録されているＣＭ素材データＤ１をバックアップ用に複写（コピー）する一方、必要に応じて当該複写したＣＭ素材データＤ１を現用系Ａ／Ｖサーバ２１又は予備系Ａ／Ｖサーバ２２に戻す（リストアする）ようになされている。
【００３８】
かかる構成に加えて、ファイリング端末１５には、上述したファイリングプログラムに加えて、データベースサーバ１４内のデータベースに登録されているプレイリストＰＬに基づいて、現用系Ａ／Ｖサーバ２１又は予備系Ａ／Ｖサーバ２２から再生したＣＭ素材データＤ１をオートチェンジャ２６内のビデオテープレコーダ２６Ａに装填されているビデオテープにバックアップ用として記録するプログラム（以下、これを一本化プログラムと呼ぶ）が設定されている。
【００３９】
実際に放送前の段階において、ファイリング端末１５は、一本化プログラムを起動して、現用系ＳＭＳゲートウェイ１８又は予備系ＳＭＳゲートウェイ１９のいずれか一方に選択的に制御命令を送出することにより、当該現用系ＳＭＳゲートウェイ１８又は予備系ＳＭＳゲートウェイ１９は現用系ＩＤＣ２３又は予備系ＩＤＣ２４を介して現用系Ａ／Ｖサーバ２１又は予備系Ａ／Ｖサーバ２２からプレイリストＰＬに従った放送順でＣＭ素材データＤ１を再生させた後、当該ＣＭ素材データＤ１を順次オートチェンジャ２６に送出させる。
【００４０】
このときファイリング端末１５は、一本化プログラムに基づく制御命令をオートチェンジャ制御部１７に送出することにより、当該オートチェンジャ制御部１７はオートチェンジャ２６内のビデオテープレコーダ２６Ａに装填されているビデオテープに、現用系Ａ／Ｖサーバ２１から順次送出されるＣＭ素材データＤ１を送出順に記録していく。
【００４１】
この結果、オートチェンジャ２６内のビデオテープレコーダ２６Ａに装填されたビデオテープには、現用系Ａ／Ｖサーバ２１又は予備系Ａ／Ｖサーバ２２に記録されている放送予定となる全てのＣＭ素材データＤ１が、プレイリストＰＬに従った放送順にバックアップされることにより、放送中に現用系Ａ／Ｖサーバ２１又は予備系Ａ／Ｖサーバ２２に何らかのトラブルが発生してマスタスイッチャ２５にＣＭ素材データＤ１を送出できなくなった場合でも、オートチェンジャ２６内のビデオテープレコーダ２６Ａに装填されているビデオテープから再生したＣＭ素材データＤ１で代替することができる。
【００４２】
さらにファイリング端末１５は、現用系Ａ／Ｖサーバ２１又は予備系Ａ／Ｖサーバ２２の各記録容量には限界があるため、当該各記録容量を越えた分の全てのＣＭ素材データＤ１を、オートチェンジャ２６内のビデオテープレコーダ２６Ａに装填されているビデオテープに記録してコピーしておく一方、現用系Ａ／Ｖサーバ２１又は予備系Ａ／Ｖサーバ２２から破壊又は紛失したＣＭ素材データＤ１をビデオテープから読み出して該当するＡ／Ｖサーバに送出してリストアするようになされている。
【００４３】
（３）マルチ編成の送出ケースの設定
このＣＭ送出装置１では、プレイリストＰＬは、図３に示すように、１日分のタイムテーブル上にＣＭ素材の送出タイミングを表すイベントを枠で表示したもの（以下、これをＣＭ枠イベントと呼ぶ）と、当該ＣＭ枠イベントにおいて連続して送出されるＣＭ素材のイベントをブロックで表示したもの（以下、これをＣＭ素材イベントと呼ぶ）とから構成されている。
【００４４】
かかるプレイリストＰＬは、通常予定されている番組のスケジュール（以下、これを通常スケジュールと呼ぶ）と、雨天や特別番組等により放送予定番組が中止された場合のスケジュール及びスポーツ番組等の中止や野球中継等の番組の放送延長を想定し、しかもその延長期間を複数通り想定した放送スケジュール（以下、これをマルチ編成スケジュールと呼ぶ）とで構成され、それぞれの放送スケジュール毎にそのスケジュールを示すコードがプロ区分として割り付けられ、そのプロ区分がＣＭ素材イベントに設定されている。
【００４５】
プレイリストＰＬでは、図４（Ａ）に示すように、各送出ケース毎に、通常スケジュールからマルチ編成スケジュールに移行するための分岐イベント（以下、これをＭＳイベントと呼ぶ）と、マルチ編成スケジュールから通常スケジュールに戻るための戻りイベント（以下、これをＭＥイベントと呼ぶ）とを有している。ＭＳイベントでは、移行先のスケジュ  ルを示すプロ区分が指定されている。なお、図４の例では、通常のスケジュールを示すプロ区分を記号「Ｒ」と、マルチ編成スケジュールを示すプロ区分を記号「Ｍ１０１、Ｍ１０２、……」と記述している。
【００４６】
またＭＳイベントで指定された移行先のスケジュールでは、複数のＣＭ枠イベントが送出順序で配列されると共に最後にマルチ編成スケジュールから通常スケジュールに戻るための戻りイベント（ＭＥイベント）が指定されている。ＭＥイベントでは、戻り先のプロ区分と戻り先のＣＭ枠を示すＣＭ枠コードが指定されている。
【００４７】
このようにして図４（Ｂ）では、プレイリストＰＬにおいて、送出ケースとして「Ｍ１０２」のプロ区分が指定されると、「Ｒ」で示す通常スケジュールのうち第２番目のＭＳイベントが有効となり、当該ＭＳイベントで指定された「Ｍ１０２」で示すマルチ編成スケジュールを実行しながら、「ＭＥ」で示すＭＥイベントが検索されたとき、当該ＭＥイベントを起点として戻り先枠イベントから通常スケジュールに戻るようになされている。
【００４８】
実際にプレイリストＰＬでは、通常スケジュールに順次従ったＣＭ枠イベントの情報（以下、これをＣＭ枠情報と呼ぶ）が送出順序で記述されており、マルチ編成スケジュールへの移行予定となる部位にＭＳイベントが記述されている。
【００４９】
それぞれのマルチ編成スケジュールでは、複数のＣＭ枠イベントが送出順序で記述されると共に最後にＭＥイベントが記述されている。
【００５０】
このプレイリストＰＬには、ヘッダレコード、ＣＭ枠レコード、ＣＭレコード、マルチ制御レコード（ＭＳイベント及びＭＥイベントを記述）及びトレーラレコードの各レコードフォーマットが規定されており、上述したプロ区分等が記述されている。
【００５１】
このうちヘッダレコードには、図５に示すように、データに対する処理の種別（例えば１日分単位の処理）を表す「処理種別」、データを出力した年月日を表す「データ出力年月日」、放送される年月日を表す「オンエア年月日」、曜日を番号で表す「オンエア曜日」、局の送出回線名を表す「送出回線名」、通常スケジュール又はマルチ編成スケジュールの識別記号を表す「プロ区分」、このファイルに収容されている枠レコードの件数を表す「枠レコード数」、及びこのファイルに収容されているＣＭレコードの件数を表す「ＣＭレコード数」等が記述されている。
【００５２】
またＣＭ枠レコードには、図６に示すように、「枠コード」、「枠名」、「プロ区分」等が記述されている。さらにＣＭレコードには、図７に示すように、送出するＣＭ素材を指定するための「素材コード」が記述されている。
【００５３】
さらにマルチ制御レコードには、図８に示すように、マルチ編成スケジュールの移行及び戻りをそれぞれＭＳ及びＭＥで示す「マルチ制御種別」、ＭＳイベント及びＭＥイベントが属するプロ区分を示す「プロ区分」、ＭＳイベントのみ有効でかつ移行先のプロ区分を指定する「移行先プロ区分」、ＭＥイベントのみ有効でかつ戻り先のプロ区分を指定する「戻り先プロ区分」、ＭＥイベントのみ有効でかつ戻り先のＣＭ枠イベントを指定する「戻り先枠コード」等が記述されている。
【００５４】
さらにトレーラレコードには、図９に示すように、「レコード種別」等が記述されている。
【００５５】
（４）マルチ編成送出リハーサル処理手順
このＣＭ送出装置１では、プレイリストＰＬに基づく通常スケジュールに応じた送出ケースのリハーサルを行いながら、単数又は複数のマルチ編成スケジュールが設定されている場合には、当該各マルチ編成スケジュールに応じた送出ケースに移行してリハーサルを行った後、元の通常スケジュールに応じた送出ケースに戻ってリハーサルを行い得るようになされている。
【００５６】
まずＣＭ送出装置１では、放送前に図１０に示すマルチ編成送出リハーサル処理手順ＲＴ１をステップＳＰ０から開始し、ステップＳＰ１において、プレビュ端末１６は、オペレータの操作に応じてリハーサルを開始するＣＭ枠イベントが指定されると、ステップＳＰ２に進んで、当該指定されたＣＭ枠イベントのプロ区分を現時点の送出ケースとして認識する。
【００５７】
続いてプレビュ端末１６は、ステップＳＰ３に進んで、上述のように指定されたＣＭ枠イベントをリハーサル開始位置に指定して頭出しした後、ステップＳＰ４に進んでオペレータのリハーサル開始の指示を受けると、ステップＳＰ５において当該ＣＭ枠イベントの送出リハーサルを実行する。
【００５８】
プレビュ端末１６は、ステップＳＰ６において、オペレータよりマルチ編成スケジュールのリハーサルが指定されているか否かを判断し、肯定結果が得られたときにはステップＳＰ７に進んで、次のイベントが当該マルチ編成スケジュールへの移行が指定されたＭＳイベントであるか否かを、スケジュールに基づくＣＭ枠情報を順次認識しながら判断する。
【００５９】
このステップＳＰ７において肯定結果が得られると、プレビュ端末１６は、ステップＳＰ８に進んで、ＭＳイベントで移行先に指定されたマルチ編成スケジュールをリハーサル対象に決定した後、ステップＳＰ９において、当該指定されたマルチ編成スケジュールの先頭に位置するＣＭ枠イベントの頭出しを行う。
【００６０】
そしてプレビュ端末１６は、ステップＳＰ１０に進んで、頭出しを行ったＣＭ枠イベントの送出リハーサルを実行した後、ステップＳＰ１１に進む。
【００６１】
これに対してステップＳＰ７において否定結果が得られると、このことは次のイベントがマルチ編成スケジュールへの移行が指示されたＭＳイベントでないことを表しており、このときプレビュ端末は、ステップＳＰ１２に進んで、次のイベントがＭＥイベントであるか否かを、スケジュールに基づくＣＭ枠情報を順次認識しながら判断する。
【００６２】
このステップＳＰ１２において肯定結果が得られると、プレビュ端末１６は、ＭＥイベントで指定された戻り先のスケジュールをリハーサル対象に決定した後、ステップＳＰ１３に進んで、ＭＥイベントで指定された戻り先のＣＭ枠イベントの頭出しを行い、そのままステップＳＰ１４に進む。
【００６３】
このステップＳＰ１４において、プレビュ端末１６は、頭出しを行ったＣＭ枠イベントの送出リハーサルを実行し、オペレータが指定したマルチ編成スケジュールのリハーサルを解除した後、ステップＳＰ１１に進む。
【００６４】
一方ステップＳＰ１２において否定結果が得られると、次のイベントがＣＭ枠イベントであることを表しており、このときプレビュ端末１６は、ステップＳＰ１５に進む。
【００６５】
ここでステップＳＰ１１において、プレビュ端末１６は、リハーサル対象となったＣＭ枠イベントのプロ区分を現時点の送出ケースとして認識した後、再度ステップＳＰ６に戻り、オペレータにより新たなマルチ編成スケジュールのリハーサルが指示されているか否かを判断する。
【００６６】
このステップＳＰ６において否定結果が得られると、このことは現在認識している送出ケースのスケジュールのみリハーサルすることを表しており、このときプレビュ端末は、ステップＳＰ１５に進んで、次のリハーサル対象のＣＭ枠イベントが存在するか否かを判断する。
【００６７】
このステップＳＰ１５において否定結果が得られると、プレビュ端末１６は、プレイリストＰＬに設定された送出ケースとして認識されているスケジュールについて送出リハーサルを完了したと判断し、そのままステップＳＰ１６に進んで当該マルチ編成送出リハーサル処理手順ＲＴ１を終了する。
【００６８】
一方ステップＳＰ１５において肯定結果が得られると、このことはプレイリストＰＬに設定された送出ケースとして認識されているスケジュールのうち未だリハーサルを行っていないＣＭ枠イベントが存在することを表しており、このときプレビュ端末１６は、ステップＳＰ１７に進んで、当該ＣＭ枠イベントの頭出しを行った後、ステップＳＰ１８に進んで、頭出しを行ったＣＭ枠イベントの送出リハーサルを実行した後、ステップＳＰ６に戻る。
【００６９】
（５）本実施の形態による動作及び効果
以上の構成において、このＣＭ送出装置では、通常スケジュールに加えて、野球中継等の番組の時間延長や雨天中止等の複数種類の送出ケースを想定したマルチ編成スケジュールを予め単数又は複数想定すると共に、プレイリスト内に送出順序で配列されている複数のＣＭ枠イベントのうち、各マルチ編成スケジュールの予定開始時刻に応じた部位にＭＳイベントを設定すると共に、各マルチ編成スケジュールの最後に戻り先を指示したＭＥイベントを設定しておく。
【００７０】
プレビュ端末１６は、プレイリスト内の通常スケジュールに従った順序でＣＭ枠イベントの送出リハーサルを行いながらオペレータが指定したＭＳイベントを検索し、当該検索したＭＳイベントを起点として通常スケジュールからマルチ編成スケジュールに移行する。そしてプレビュ端末１６は、マルチ編成スケジュールのＣＭ枠イベントの送出リハーサルを順次行いながらＭＥイベントを検索すると、当該ＭＥイベントを起点として元の通常スケジュールにおける戻り先イベントに戻る。
【００７１】
この結果、プレビュ端末１６は、通常スケジュールからマルチ編成スケジュールへの移行や、当該マルチ編成スケジュール間への移行、さらにはマルチ編成スケジュールから通常スケジュールへの戻りなど、時間的に重複する複数のスケジュールのうち所望のスケジュールに相互に移行してリハーサルを容易に実行することができる。
【００７２】
以上の構成によれば、このＣＭ送出装置４では、通常スケジュールに加えて、野球中継等の番組の時間延長や雨天中止等の複数種類の送出ケースを想定したマルチ編成スケジュールを予め単数又は複数想定すると共に、プレイリスト内に送出順序で配列されている複数のＣＭ枠イベントのうち、各マルチ編成スケジュールの予定開始時刻に応じた部位にＭＳイベントを設定しておくようにしたことにより、プレイリスト内の通常スケジュールに従った順序でＣＭ枠イベントの送出リハーサルを行いながらＭＳイベント及びＭＥイベントをそれぞれ起点として、時間的に重複する通常スケジュール及び複数のマルチ編成スケジュールのうち所望のスケジュールに相互に移行してリハーサルを容易に実行することができ、かくしてオペレータの作業効率を向上し得るテレビジョン放送システムを実現できる。
【００７３】
（６）他の実施の形態
なお上述の実施の形態においては、本発明をテレビジョン放送システム１のＣＭ送出装置４に適用するようにした場合について述べたが、本発明はこれに限らず、ＣＭの映像音声信号以外の各種情報素材を、送出順序が規定されたプレイリスト（第１のプログラムリスト）に従って順次送出するこの他種々の情報送出装置に広く適用することができる。
【００７４】
また上述の実施の形態においては、送出予定の複数の情報素材を記憶する記憶手段として、現用系Ａ／Ｖサーバ２１及び又は予備系Ａ／Ｖサーバ２２を適用した場合について述べたが、本発明はこれに限らず、読出制御可能な記憶手段であればこの他種々の構成のものを適用することができる。
【００７５】
さらに上述の実施の形態においては、プレイリスト（プログラムリスト）内で通常スケジュール（第１の送出順序）から当該通常スケジュールと全部又は部分的に異なるマルチ編成スケジュール（第２の送出順序）に切り換わるように制御する切換制御手段を、プレビュ端末１６から構成するようにした場合について述べたが、本発明はこれに限らず、この他種々の構成からなる切換制御手段を適用するようにしても良い。
【００７６】
この場合、プレイリスト（プログラムリスト）内にマルチ編成スケジュール（第２の送出順序）のＭＳイベント（開始情報）及び又はＭＥイベント（終了情報）を記述しておき、プレビュ端末（切換制御手段）１６は、ＭＳイベント（開始情報）及び又はＭＥイベント（終了情報）に基づいて、通常スケジュール（第１の送出順序）又はマルチ編成スケジュール（第２の送出順序）からマルチ編成スケジュール（第２の送出順序）又は通常スケジュール（第１の送出順序）に切り換えるようにし得れば良い。
【００７７】
さらに上述の実施の形態においては、現用系Ａ／Ｖサーバ２１及び又は予備系Ａ／Ｖサーバ２２に記憶されている複数のＣＭ素材データ（情報素材）の中から、プレビュ端末（切換制御手段）によって切り換えられた通常スケジュール（第１の送出順序）又はマルチ編成スケジュール（第２の送出順序）に従ってＣＭ素材データ（情報素材）を読み出して送出する送出手段を、プレビュ端末１６から構成するようにした場合について述べたが、本発明はこれに限らず、この他種々の構成からなる切換制御手段を適用するようにしても良い。
【００７８】
さらに上述の実施の形態においては、プレイリストＰＬ内の通常スケジュールの中から指定されたＭＳイベントに応じてマルチ編成スケジュールに移行するようにした場合について述べたが、本発明はこれに限らず、マルチ編成スケジュールからさらに別のマルチ編成スケジュールに移行するようにしても良い。
【００７９】
この場合、図４（Ａ）及び（Ｂ）との対応部分に同一符号を付した図１１（Ａ）及び（Ｂ）に示すように、プレイリストＰＬにおいて、「Ｒ」で示す通常スケジュールのうち第１番目の「ＭＳ」で示すＭＳイベントが指定されたとき、当該ＭＳイベントに応じた「Ｍ１０１」で示すマルチ編成スケジュールを実行しながら、さらに「ＭＳ」で示すＭＳイベントが指定されたとき、当該ＭＳイベントに応じた「Ｍ１０３」で示すマルチ編成スケジュールを実行するようにして、この後「ＭＥ」で示すＭＥイベントが検索されたとき、当該ＭＥイベントを起点として戻り先枠イベントから通常スケジュールに戻るようにしても良い。
【００８０】
【発明の効果】
上述のように本発明によれば、情報素材の送出順序を規定したプレイリストに従って複数の情報素材を順次送出する情報送出装置において、送出予定の複数の情報素材を記憶する記憶手段と、通常予定されている情報素材の送出スケジュールで作成された通常スケジュールと、通常スケジュールにおいて予定されている情報素材の送出スケジュールが変更されることを想定して作成されたマルチ編成スケジュールとから構成されたプレイリストを作成するプレイリスト作成手段と、プレイリストに、通常スケジュールからマルチ編成スケジュールへ移行するための分岐イベント及びマルチ編成スケジュールから通常スケジュールへ戻るための戻りイベントを指定するイベント指定手段と、プレイリストに従った順序で情報素材を再生して音声として出力し、かつ情報素材の映像を表示することにより情報素材のリハーサルを実行するリハーサル実行手段を具え、リハーサル実行手段は、イベント指定手段により指定された分岐イベント時及び戻りイベント時に情報素材のリハーサルを実行するようにしたことにより、通常スケジュールからマルチ編成スケジュールへの移行、マルチ編成スケジュールから通常スケジュールへの戻りなどのイベント時にスケジュールを相互に移行して情報素材のリハーサルを容易に実行することができるので、通常スケジュールに加え番組の時間延長や中止などの複数種類の放送送出を想定したマルチ編成スケジュールに対してもリハーサルによるチェックが容易に実行でき、かくしてオペレータの作業効率向上し得る情報送出装置を実現できる。
【図面の簡単な説明】
【図１】本実施の形態によるテレビジョン放送システムの構成を示すブロック図である。
【図２】図１に示すＣＭ送出装置の構成を示す略線的なブロック図である。
【図３】プレイリストの画面表示の説明に供する略線的な平面図である。
【図４】プレイリスト内のスケジュールの移行状態の説明に供する略線図である。
【図５】ヘッダレコードの記述内容の説明に供する図表である。
【図６】ＣＭ枠レコードの記述内容の説明に供する図表である。
【図７】ＣＭレコードの記述内容の説明に供する図表である。
【図８】マルチ制御レコードの記述内容の説明に供する図表である。
【図９】トレーラレコードの記述内容の説明に供する図表である。
【図１０】マルチ編成送出リハーサル処理手順の説明に供するフローチャートである。
【図１１】他の実施の形態によるプレイリスト内のスケジュールの移行状態の説明に供する略線図である。
【符号の説明】
１……テレビジョン放送システム、２……主制御装置、３……番組送出装置、４……ＣＭ送出装置、５……スイッチャ、１０……データゲートウェイ、１１……現用系送出制御部、１２……予備系送出制御部、１３……送出監視端末、１４……データベースサーバ、１５……ファイリング端末、１６……プレビュ端末、１７……オートチェンジャ制御部、１８……現用系ＳＭＳゲートウェイ、１９……予備系ＳＭＳゲートウェイ、２０……ネットワーク、２１……現用系Ａ／Ｖサーバ、２２……予備系Ａ／Ｖサーバ、２３……現用系ＩＤＣ、２４……予備系ＩＤＣ、２５……マスタスイッチャ、２６……オートチェンジャ、２６Ａ……ビデオテープレコーダ、３０……上位データ管理装置、３１……素材機、Ｄ１……ＣＭ素材データ、ＰＬ……プレイリスト、ＲＴ１……マルチ編成送出リハーサル処理手順。
【図１】
0004457279.tif 000002
【図２】
0004457279.tif 000003
【図３】
0004457279.tif 000004
【図４】
0004457279.tif 000005
【図５】
0004457279.tif 000006
【図６】
0004457279.tif 000007
【図７】
0004457279.tif 000008
【図８】
0004457279.tif 000009
【図９】
0004457279.tif 000010
【図１０】
0004457279.tif 000011
【図１１】
0004457279.tif 000012